(57)【要約】【課題】遺体の頭部や首肩部を装飾する遺体用頭部装飾具及び遺体用装飾具に係り、白色サテン、白色チュール等を使用した装飾具を簡単に遺体に装着して頭部等を美しく装飾するようにした技術である。【解決手段】遺体用頭部装飾具１は、表面３１ａ側の白色チュールと裏面３１ｂ側の白色サテンとを重ねて縫製した後頭部及び肩部を覆うケープ部３１と、白色チュールからなる顔部被覆部３２と、ケープ部３１に埋め込んで設けたカチューシャ２と、顎部に結ぶ紐部材３４とを備えており、前記顔部被覆部２は前記カチューシャ２を基端として顔部側と後頭部側とに位置変更可能とし、前記カチューシャ２と前記紐部材３４とにより遺体を寝かした状態で動かさずに簡単に遺体に装着でき、前記ケープ部３１と前記顔部被覆部３２とで、顔、後頭部及び肩部を覆って装飾することができるようにしたものである。【選択図】図１
2013233197.tif 000002
【特許請求の範囲】
【請求項１】
遺体の頭部に装着するカチューシャと、略半円形状の装飾布部とを備えた遺体用頭部装飾具であって、
前記装飾布部は、表面側の白色チュールと裏面側の白色サテンとを重ねて縫製した後頭部及び肩部を覆うケープ部と、白色チュールからなる顔部被覆部とを備え、
前記カチューシャは、前記装飾布部における径方向中央縁部を折返して形成した袋状部に埋め込んで設け、
前記顔部被覆部は、前記カチューシャを基端として顔部側と後頭部側とに位置変更可能に形成し、
前記装飾布部の袋状部の両端に顎部に結ぶ紐部材を設けたことを特徴とする遺体用頭部装飾具。
【請求項２】
遺体の首部に装着する遺体用首肩装飾具と、請求項１に記載の遺体用頭部装飾具とを備えた遺体用装飾具であって、
前記遺体用首肩装飾具は、両端部分が広がった横長形状の装飾布材と、弾性変形により首部に装着可能な略円弧状の首部装着部材とを備え、
前記装飾布材は、表面側を白色サテンで形成し、裏面側を白色チュールで形成するとともに、前記白色チュールを短手方向において前記白色サテンよりも大きく形成し、
前記首部装着部材は、前記白色サテンと前記白色チュールとの間における前記装飾布材の長手方向の中央部に前記白色サテンが外方に凸状となるように設けたことを特徴とする遺体用装飾具。
【請求項３】
遺体の頭部に装着する遺体用頭部装飾具であって、
略円形状の白色サテンを折り返して綿を挟んだ頭部装着部と、横長形状の白色サテンからなる後頭部及び肩部を覆うケープ部とを形成し、
前記ケープ部の長手方向中央縁部と前記頭部装着部の半円周部とをそれぞれギャザーを形成して一体に縫製し、
前記半円周部の両端に顎部に結ぶ紐部材を設けたことを特徴とする遺体用頭部装飾具。
【請求項４】
遺体の胸部に装着する遺体用胸当てと、請求項３に記載の遺体用頭部装飾具とを備えた遺体用装飾具であって、
前記遺体用胸当ては、略矩形状の中央縁部に略半円形状に切欠いた顎下装着部を形成するとともに、白色サテンを袋状にして綿を挟んで形成したことを特徴とする遺体用装飾具。
【発明の詳細な説明】
【技術分野】
【０００１】
本発明は、遺体の頭部や首肩部を装飾する遺体用頭部装飾具及び遺体用装飾具に係り、白色サテン、白色チュール等を使用した装飾具を簡単に遺体に装着して頭部等を美しく装飾するようにした技術である。
【背景技術】
【０００２】
従来、通夜あるいは葬儀前には遺体の顔に白布が覆われていて、最後のお別れのために白布を上げて拝顔してお別れをする習慣があり、直接遺体の顔を拝顔するという生々しい現実に直面することは感情的に辛いため、透き通った素材の被覆ヴェールを遺体の顔に被覆して、間接的に拝顔することによって感情的な辛さを回避するようにしたものが知られている（例えば、特許文献１参照）。
また、従来、遺体の頭部を覆う帽子が知られている（例えば、特許文献２参照）。
【先行技術文献】
【特許文献】
【０００３】
【特許文献１】実用新案登録第３０３９９３３号公報
【特許文献２】実用新案登録第３１２６１７５号公報（図４、段落００２１）
【発明の概要】
【発明が解決しようとする課題】
【０００４】
特許文献１に記載された従来の被覆ヴェールは矩形状で縁取りを備えただけであり、遺体への装着部を備えておらず、かつ、遺体の後頭部や首回りなどの装飾がなされておらず、病気や怪我で髪が抜けたり傷跡がある遺体の場合、病気や怪我の痛々しさを遺族等に隠すことができないという課題があった。
また、特許文献２に記載された従来の遺体の頭部を覆う帽子は、ゴム紐で首の後側に装着するようにしており、寝かせた遺体の頭を持ち上げなければ装着できないという課題があり、かつ、顔や首回りの装飾がなく不自然な感じがするという課題があった。
【０００５】
本発明は、このような従来の構成が有していた課題を解決しようとするものであり、遺体を動かさずに簡単に遺体に装着して、顔や首回りのやつれや傷跡を覆って装飾することができ、寝かした状態で美しく装飾できるようにした遺体用頭部装飾具及び遺体用装飾具とすることを目的としている。
【課題を解決するための手段】
【０００６】
請求項１に係る本発明の遺体用頭部装飾具は、遺体の頭部に装着するカチューシャと、略半円形状の装飾布部とを備えた遺体用頭部装飾具であって、
前記装飾布部は、表面側の白色チュールと裏面側の白色サテンとを重ねて縫製した後頭部及び肩部を覆うケープ部と、白色チュールからなる顔部被覆部とを備え、
前記カチューシャは、前記装飾布部における径方向中央縁部を折返して形成した袋状部に埋め込んで設け、
前記顔部被覆部は、前記カチューシャを基端として顔部側と後頭部側とに位置変更可能に形成し、
前記装飾布部の袋状部の両端に顎部に結ぶ紐部材を設けたものである。
【０００７】
請求項２に係る本発明の遺体用装飾具は、遺体の首部に装着する遺体用首肩装飾具と、請求項１に記載の遺体用頭部装飾具とを備えた遺体用装飾具であって、
前記遺体用首肩装飾具は、両端部分が広がった横長形状の装飾布材と、弾性変形により首部に装着可能な略円弧状の首部装着部材とを備え、
前記装飾布材は、表面側を白色サテンで形成し、裏面側を白色チュールで形成するとともに、前記白色チュールを短手方向において前記白色サテンよりも大きく形成し、
前記首部装着部材は、前記白色サテンと前記白色チュールとの間における前記装飾布材の長手方向の中央部に前記白色サテンが外方に凸状となるように設けたものである。
【０００８】
請求項３に係る本発明の遺体用頭部装飾具は、遺体の頭部に装着する遺体用頭部装飾具であって、
略円形状の白色サテンを折り返して綿を挟んだ頭部装着部と、横長形状の白色サテンからなる後頭部及び肩部を覆うケープ部とを形成し、
前記ケープ部の長手方向中央縁部と前記頭部装着部の半円周部とをそれぞれギャザーを形成して一体に縫製し、
前記半円周部の両端に顎部に結ぶ紐部材を設けたものである。
【０００９】
請求項４に係る本発明の遺体用装飾具は、遺体の胸部に装着する遺体用胸当てと、請求項３に記載の遺体用頭部装飾具とを備えた遺体用装飾具であって、
前記遺体用胸当ては、略矩形状の中央縁部に略半円形状に切欠いた顎下装着部を形成するとともに、白色サテンを袋状にして綿を挟んで形成したものである。
【発明の効果】
【００１０】
請求項１に係る本発明の遺体用頭部装飾具は、カチューシャと紐部材により遺体を寝かした状態で動かさずに簡単に遺体に装着でき、後頭部及び肩部を覆うケープ部と、白色サテンからなる顔部被覆部とで、顔、後頭部及び肩部を覆って装飾することができるのである。
【００１１】
請求項２に係る本発明の遺体用装飾具は、遺体の首部に装着する遺体用首肩装飾具と、請求項１に記載の遺体用頭部装飾具とを備えているから、請求項１に係る本発明の遺体用頭部装飾具の効果に加え、前記遺体用首肩装飾具は、両端部分が広がった横長形状の装飾布材と、弾性変形により首部に装着可能な略円弧状の首部装着部材とを備えているから、首部に簡単に装着することができ、かつ、遺体の首部及び肩部を装飾することができるのである。
【００１２】
請求項３に係る本発明の遺体用頭部装飾具は、頭部装着部と紐部材により遺体を寝かした状態で動かさずに簡単に遺体に装着でき、後頭部及び肩部を覆うケープ部で、簡単な構成でありながら後頭部及び肩部を覆って装飾することができるのである。
【００１３】
請求項４に係る本発明の遺体用装飾具は、遺体の胸部に装着する遺体用胸当てと、請求項３に記載の遺体用頭部装飾具とを備えているから、請求項３に係る本発明の遺体用頭部装飾具の効果に加え、前記遺体用胸当ては、略矩形状の中央縁部に略半円形状に切欠いた顎下装着部を形成するとともに、白色サテンを袋状にして綿を挟んで形成しているから、簡単に装着することができ、かつ、簡単な構成でありながら遺体の胸部を装飾することができるのである。
【図面の簡単な説明】
【００１４】
【図１】本発明の第一の実施の形態に係る遺体用頭部装飾具の斜視図である。
【図２】本発明の第一の実施の形態に係る遺体用首肩装飾具の斜視図である。
【図３】本発明の第一の実施の形態に係る遺体用頭部装飾具及び遺体用首肩装飾具からなる遺体用装飾具の装着例を示す斜視図である。
【図４】本発明の第二の実施の形態に係る遺体用頭部装飾具の斜視図である。
【図５】本発明の第二の実施の形態に係る遺体用胸当ての斜視図である。
【図６】本発明の第二の実施の形態に係る遺体用頭部装飾具及び遺体用胸当てからなる遺体用装飾具の装着例を示す斜視図である。
【発明を実施するための形態】
【００１５】
以下、本発明の実施の形態を添付した図面により詳細に説明する。
図１〜図３は、本発明の第一の実施の形態に係る図面であり、図１は遺体用頭部装飾具の斜視図、図２は遺体用首肩装飾具の斜視図、図３は図１の遺体用頭部装飾具及び図２の遺体用首肩装飾具からなる遺体用装飾具の装着例を示す斜視図である。
図４〜図６は本発明の第二の実施の形態に係る図面であり、図４は遺体用頭部装飾具の斜視図、図５は遺体用胸当ての斜視図、図６は図４の遺体用頭部装飾具及び図５の遺体用胸当てからなる遺体用装飾具の装着例を示す斜視図である。
【００１６】
本発明の第一の実施の形態に係る遺体用頭部装飾具、遺体用首肩装飾具及び遺体用装飾具について図１〜図３に基づき説明する。
図１において、１は、遺体用頭部装飾具であり、遺体の頭部に装着するカチューシャ２と、略半円形状の装飾布部３とを備えている。
【００１７】
前記装飾布部３は、半径が約５０ｃｍの略半円形状であり、表面３１ａ側の白色チュールと裏面３１ｂ側の白色サテンとを重ねて円弧部及び径方向周辺部をかがり縫い３１ｃにより縫製した遺体の後頭部及び肩部を覆うケープ部３１と、白色チュールからなる顔部被覆部３２とを備えている。
前記ケープ部３１を構成する前記裏面３１ｂ側の白色サテンは材質がポリエステルやナイロンなどの合成繊維であり、前記ケープ部３１を構成する前記表面３１ａ側の白色チュールと前記顔面被覆部３２は六角形（亀甲型）の網目模様の薄手のナイロンなどの生地を用いている。
【００１８】
前記カチューシャ２は、力を加えない自由状態で直径が約１３ｃｍで端部が約６ｃｍ開口した略円弧状であり、厚みが約２ｍｍ、幅が約１０ｍｍで、円弧状の中央両縁部に内方に向けた滑り止め突起を設け、弾性変形により遺体の頭部に装着できるようにしている。
また、前記カチューシャ２は材質をポリプロピレン、ポリエチレン、ポリエステル等の非塩素系合成樹脂として、遺体を火葬した際に有害廃棄物が生じないようにしている。
【００１９】
また、前記カチューシャ２は、前記装飾布部３における径方向中央部を約５０ｃｍの幅と約２０ｃｍの奥行で切欠部を形成した後に、この切欠部における径方向中央縁部を折返してかがり縫い３３ａ及び５箇所のギャザー３３ｂにより形成した袋状部３３に埋め込んで設けている。
そして、前記顔部被覆部３２は、前記袋状部３３に続く径方向周辺部に前記ケープ部３１と一緒に前記かがり縫い３１ｃを施しており、前記カチューシャ２を基端として顔部側と後頭部側とに位置変更可能に形成し、図３に示すように、前記遺体用頭部装飾具１を遺体に装着する際には、前記顔部被覆部３２を遺体の顔部側に位置させるのである。
【００２０】
また、前記装飾布部３の前記袋状部３３の両端に顎部に結ぶ一対の紐部材３４を設けており、前記各紐部材３４は長さが約３０ｃｍで幅が約１７ｍｍの白色サテンを約５ｍｍの径に丸めて縫製して形成している。
なお、図１において、３５は、白色チュールからなる顔面装飾具であり、前記袋状部３３の円弧状と同様形状で約１０ｃｍの円環状を形成して前記装飾布部３と一緒に前記袋状部３３に設けており、遺体の顔面の装飾をしている。
【００２１】
以上のように形成した遺体用頭部装飾具１は、図３に示すように、前記カチューシャ２と前記紐部材３４により遺体を寝かした状態で動かさずに簡単に遺体に装着でき、後頭部及び肩部を覆う前記ケープ部３１と、白色サテンからなる前記顔部被覆部３２とで、顔、後頭部及び肩部を覆って装飾することができるのである。
次に、図２において、４は、遺体の首部に装着する遺体用首肩装飾具であり、両端部分が広がった横長形状の装飾布材５と、弾性変形により首部に装着可能な略円弧状の首部装着部材６とを備えている。
【００２２】
前記装飾布材５は、表面５１側を白色サテンで形成し、裏面５２側を白色チュールで形成するとともに、前記裏面５２側の白色チュールを短手方向において前記表面５１側の白色サテンよりも大きく形成している。
前記表面５１側の白色サテンは、前記装飾布部３におけるものと同様に材質がポリエステルやナイロンなどの合成繊維であり、また、前記裏面５２側の白色チュールは、前記装飾布部３におけるものと同様に六角形（亀甲型）の網目模様の薄手のナイロンなどの生地を用いている。
【００２３】
前記表面５１側の白色サテンは、横幅が１１０ｃｍで奥行が約２０ｃｍの横長形状であって、両端部分に、左右両端から約２０ｃｍ中心側となる位置からなだらかに奥行が約４０ｃｍまで広がった広がり部５１ａを形成し、全周縁をかがり縫い５１ｂでほつれの防止をしている。
また、前記裏面５２側の白色チュールは、二重にして設けており、前記表面５１側の白色サテンに横幅が約７０ｃｍで奥行が約２７ｃｍの矩形の一重目５２ａと、前記表面５１側の白色サテンと同じ横幅（約１１０ｃｍ）で、短手方向において前記表面５１側の白色サテンよりも１５ｃｍ大きい約３５ｃｍと広がり部５２ｂにおいて約５５ｃｍに形成した二重目５２ｃとから形成しおり、前記裏面５２の前記二重目５２ｃの白色チュールは前記表面５１側の白色サテンよりも短手方向においてそれぞれ約７．５ｃｍ外方に広がって形成している。
【００２４】
前記首部装着部材６は、前記遺体用頭部装飾具１における前記カチューシャ２と同様に、力を加えない自由状態で直径が約１３ｃｍで端部が約６ｃｍ開口した略円弧状であり、厚みが約２ｍｍ、幅が約１０ｍｍで、弾性変形により遺体の頭部に装着できるようにするとともに、材質をポリプロピレン、ポリエチレン、ポリエステル等の非塩素系合成樹脂として、遺体を火葬した際に有害廃棄物が生じないようにしている。
そして、前記首部装着部材６は、前記表面５１側の白色サテンと前記裏面５２側の二重の白色チュールとの間における前記装飾布材５の長手方向の中央部に前記表面５１側の白色サテンが外方に凸状となるように、横幅が約７０ｃｍで奥行が約３ｃｍの収納部４１に設けている。
【００２５】
前記収納部４１は、縫製部４１ａにより形成するのであり、前記表面５１側の白色サテンの一方の縁側に約２．５ｃｍ偏って設けるとともに、前記表面５１側の白色サテンと前記裏面５２側の二重の白色チュールとを前記縫製部４１ａにより一体的にしており、前記収納部４１を偏って設けることで、前記首部装着部材６により前記遺体用首肩装飾具４を遺体の首部に装着した際に、図３に示すように、前記装飾布材５が遺体の首回り下方及び肩を装飾できるようにしている。
以上のように形成した遺体用首肩装飾具４は、図３に示すように、前記遺体用頭部装飾具１と一緒に遺体の装飾に用いるのであり、両端部分が広がった横長形状の装飾布材５と、弾性変形により首部に装着可能な略円弧状の首部装着部材６とを備えているから、首部に簡単に装着することができ、かつ、遺体の首部及び肩部を装飾することができるのである。
【００２６】
以上の第一の実施の形態は、前記遺体用頭部装飾具１と前記遺体用首肩装飾具４とを備えた遺体用装飾具１００を形成して、図３に示すように、遺体を寝かせた状態で前記遺体用首肩装飾部４を遺体の首に前記首部装着部材６により装着し、次に、前記遺体用頭部装飾具１を遺体の頭に前記カチューシャ２により装着し、さらに、前記一対の紐部材３４を遺体の顎部に結ぶとともに、前記顔部被覆部３２を遺体の顔面側に位置させて顔面を覆うのである。
以上の第一の実施の形態では、前記遺体用装飾具１００は、前記遺体用頭部装飾具１と前記遺体用首肩装飾具４とを備えていたが、前記遺体用首肩装飾具４については必要に応じて用いるのであり、前記遺体用頭部装飾具１のみを遺体用装飾具として用いることもできる。
【００２７】
また、以上の第一の実施の形態における前記遺体用頭部装飾具１には前記顔面装飾具３５を用いているが、前記顔面装飾具３５を省略して遺体用頭部装飾具を形成してもよい。
以上の第一の実施の形態における前記遺体用首肩装飾具４には、前記一重目５２ａと二重目５２ｃの二重の白色サテンを備えているが、前記一重目５２ａの白色サテンを省略してもよい。
【００２８】
また、以上の第一の実施の形態では、各構成部材の材質や寸法を一例として示したが、本発明の技術的思想に沿って適宜変更をすることができることはもちろんである。
【００２９】
次に、本発明の第二の実施の形態に係る遺体用頭部装飾具、遺体用胸当て及び遺体用装飾具について図４〜図６に基づき説明する。
図４において、７は、遺体の頭部に装着する遺体用頭部装飾具であり、頭部装着部７１とケープ部７２と一対の紐部材７３とから形成している。
【００３０】
前記頭部装着部７１は、直径が約４５ｃｍの略円形状の白色サテンを折り返して厚さが数ｍｍの綿を挟んで、半円周部にかがり縫い７１ａを施すとともに、半円周部の両端に前記一対の紐部材７３をそれぞれ縫いつけている。
前記紐部材７３は長さが約３０ｃｍで幅が約１７ｍｍの白色サテンを約５ｍｍの径に丸めて縫製して形成している。
【００３１】
前記ケープ部７２は、横幅が約１１０ｃｍで端部側の奥行が約３０ｃｍで中央部側の奥行が約２５ｃｍの横長形状の白色サテンから形成しており、周縁にかがり縫い７２ａを施すとともに、前記頭部装着部７１の対向縁部を除く３つの縁部を約１ｃｍ裏側に折り返して折り返し部７２ｂを形成するように縫製している。
そして、前記ケープ部７２の長手方向中央縁部と前記頭部装着部７１の半円周部から約２ｃｍ内周側における半円周部とをそれぞれ４箇所のギャザー７４を形成して一体に縫製することにより前記遺体用頭部装飾具７を形成している。
【００３２】
前記遺体用頭部装飾具７は前記ギャザー７４を形成して一体に縫製することにより、図６に示すように、遺体の頭部に装着し易い半球状を形成できるようにするとともに、前記一対の紐部材７３により遺体の顎部に結ぶことにより装着し、前記ケープ部７２により遺体の後頭部及び肩部を覆うようにしている。
以上のように形成した遺体用頭部装飾具７は、図６に示すように、前記頭部装着部７１と前記紐部材７３により遺体を寝かした状態で動かさずに簡単に遺体に装着でき、後頭部及び肩部を覆う前記ケープ部７２で、簡単な構成でありながら遺体の後頭部及び肩部を覆って装飾することができるのである。
【００３３】
次に、図５において、８は、遺体の胸部に装着する遺体用胸当てである。
前記遺体用胸当て８は、約４８ｃｍと約２８ｃｍの略矩形状白色サテンの長手方向中央縁部に横幅が約１６ｃｍで深さが約１０ｃｍの略半円形状に切欠いた顎下装着部８１を形成するとともに、袋状にした白色サテンに厚さが数ｍｍの綿を挟んで形成している。
【００３４】
以上のように形成した遺体用胸当て８は、図６に示すように、前記遺体用頭部装飾具７と一緒に遺体の装飾に用いるのであり、簡単に装着することができ、かつ、簡単な構成でありながら遺体の胸部を装飾することができるのである。
以上の第二の実施の形態は、前記遺体用頭部装飾具７と前記遺体用胸当て８とを備えた遺体用装飾具２００を形成して、図６に示すように、遺体を寝かせた状態で前記遺体用胸当て８を遺体の胸に装着し、次に、前記遺体用頭部装飾具７を遺体の頭に前記頭部装着部７１により装着し、さらに、前記一対の紐部材７３を遺体の顎部に結ぶことにより前記遺体用装飾具２００を遺体に装着するのである。
【００３５】
以上の第二の実施の形態では、前記遺体用装飾具２００は、前記遺体用頭部装飾具７と前記遺体用胸当て８とを備えていたが、前記遺体用胸当て８については必要に応じて用いるのであり、前記遺体用頭部装飾具７のみを遺体用装飾具として用いることもできる。
また、以上の第二の実施の形態では、各構成部材の材質や寸法を一例として示したが、本発明の技術的思想に沿って適宜変更をすることができることはもちろんである。
【産業上の利用可能性】
【００３６】
本発明は、癌の放射線治療や怪我などで外見が変貌した女性や不幸にして幼く亡くなった子供の遺体を最後に美しく装飾したいという遺族は多く、遺族の思いを形にしてかなえることで、今後の必要性は増大する可能性が高いと予測され、有用である。
【符号の説明】
【００３７】
１、７  遺体用頭部装飾具
２  カチューシャ
３  装飾布部
３１、７１  ケープ部
３１ａ、５１  表面
３１ｂ、５２  裏面
３２  顔部被覆部
３３  袋状部
３４、７３  紐部材
４  遺体用首肩装飾具
５  装飾布材
６  首部装着部材
７１  頭部装着部
７４  ギャザー
８  遺体用胸当て
８１  顎下装着部
１００、２００  遺体用装飾具
【図１】
2013233197.tif 000003
【図２】
2013233197.tif 000004
【図３】
2013233197.tif 000005
【図４】
2013233197.tif 000006
【図５】
2013233197.tif 000007
【図６】
2013233197.tif 000008